(57)【要約】【課題】雪掻きなどの長時間の作業で、腕全体や腰の負担を軽くすることができるスコップを提供する。【解決手段】このスコップは、掬い部１に設けられた棒状の柄３の長手方向を往復動できる筒状のグリップ７を有する。このグリップ７は、柄３の回りに回動しない回り止め機構９を有する。この回り止め機構９は、柄３の表面とグリップ７の内面とのいずれか一方に形成された長手方向の溝１１と、他方に形成されこの溝１１に係止する突起１３と、を有する。柄３の端部に設けられる握り手５には、握り手５の軸周りに回動する筒状の第２グリップ２３が設けられる。【選択図】図1
2006342493.tif 000002
【特許請求の範囲】
【請求項１】
掬い部と、この掬い部に設けられた棒状の柄と、この柄の長手方向を往復動できる筒状のグリップと、を有することを特徴とするスコップ。
【請求項２】
前記グリップは、前記柄の回りに回動しない回り止め機構を有することを特徴とする請求項１に記載のスコップ。
【請求項３】
前記回り止め機構は、前記柄の表面と前記グリップの内面とのいずれか一方に形成されてた長手方向の溝と、他方に形成されこの溝に係止する突起と、を有することを特徴とする請求項２に記載のスコップ。
【請求項４】
前記柄の端部には、前記長手方向に直角に握り手が設けられ、この握り手は握り手の軸周りに回動する筒状の第２グリップを有することを特徴とする請求項１、２、又は３に記載のスコップ。
【発明の詳細な説明】
【技術分野】
【０００１】
この発明は、雪掻きなどに使用するスコップの構造に関する。
【背景技術】
【０００２】
雪掻きに使用される大型のスコップは、シャベルなどとも呼ばれ、掬い部の先が尖った剣先スコップ、掬い部が四角な角スコップ、掬い部が大きな雪掻きスコップなどが存在する。
これらのスコップは、雪などの対象物を掬う掬い部の後方に、棒状の柄が設けられ、この柄の端部には、柄の長手方向に直角に握り手が設けられる。
【０００３】
これらのスコップで、例えば雪掻き作業のように、長時間の作業を行うと、腕や腰に痛みを生じたりする。
下記の特許文献１には、柄の途中に別の握り手を設けて、柄を持つ手首の負担を軽くしようとするスコップが開示される。
【特許文献１】実用新案登録３０３１９７６
【発明の開示】
【発明が解決しようとする課題】
【０００４】
しかしながら、特許文献１のスコップでは、一方の手首の負担は軽くなる可能性があるが、雪掻きなどの長時間の作業で、腕全体や腰の負担を軽くすることはできない。
この発明は、以上の問題点を解決するために、長時間の作業で、腕全体や腰の負担を軽くすることができるスコップを提供することを目的とする。
【課題を解決するための手段】
【０００５】
以上の課題を解決するために、第一発明は、掬い部と、この掬い部に設けられた棒状の柄と、この柄の長手方向を往復動できる筒状のグリップと、を有することを特徴とするスコップである。
第二発明は、さらに、前記グリップは、前記柄の回りに回動しない回り止め機構を有することを特徴とするスコップである。
第三発明は、さらに、前記回り止め機構は、前記柄の表面と前記グリップの内面とのいずれか一方に形成された長手方向の溝と、他方に形成されこの溝に係止する突起と、を有することを特徴とするスコップである。
第四発明は、さらに、前記柄の端部には、前記長手方向に直角に握り手が設けられ、この握り手は握り手の軸周りに回動する筒状の第２グリップを有することを特徴とするスコップである。
【発明の効果】
【０００６】
第一、第二、第三、又は第四発明によれば、雪などの対象物を掬って放り出す作業を長時間行う場合に、掬って放り出す一つの動作サイクルの間に、柄を介して両腕相互間にかかる力が変化するが、その力の変化に応じてグリップが柄の長手方向を往復動し、よって両腕にかかる力を小さくできる。このため、両腕全体の負担を小さくできる。ひいては、腰の負担を軽くすることができる。
【０００７】
第二、第三、又は第四発明によれば、さらに、回り止め機構によりグリップは柄の回りに回動しないので、グリップの往復動にかかわらず、スコップの掬い部の姿勢をコントロールすることが容易である。
第三、又は第四発明によれば、さらに、簡単な構成の機構により、グリップの回り止めを行うことができる。
第四発明によれば、さらに、握り手を握る手首の負担を軽くすることができ、ひいては腕の負担を軽くできる。
【発明を実施するための最良の形態】
【０００８】
この発明の実施形態を、角スコップを例にして図１〜図３に示す。
図１（Ａ）（Ｂ）（Ｃ）に示すように、概略四角形の掬い部１の後方には、丸棒状の柄３が設けられる。この柄３の後ろ端部は、二股に分かれ、この分かれた各先端に、柄３の長手方向に直角方向に、握り手５が設けられる。
【０００９】
（グリップ）
そして、柄３の長手方向を往復動できる円筒状のグリップ７が設けられる。このグリップ７は、往復動はできるものの、柄３の回りに回動しないように回り止め機構９を有する。すなわち、回り止め機構９は、柄３の表面に長手方向の溝１１が形成され、グリップ７の内面に、この溝１１に係止する突起１３が形成されて、構成される。この突起１３は、グリップ７の前後端の２箇所に、グリップ７の表面に直角に設けられたネジ１５である。ネジ１５の下端が溝１１に入り、溝１１の幅方向には係止し、溝１１の長手方向には移動できる。
【００１０】
ネジ１５の下端は十分に長く、ネジ１５を締めこむと、ネジ１５の下端が溝１１の底部を押圧し、グリップ７の往復動を止める第１ストッパー１７の働きをする。
図１（Ｂ）（Ｃ）に示すように、グリップ７の内周面には、長手方向に沿って突条１９が形成される。この突条１９は、周方向に複数が形成され、柄３の表面と接して摩擦を小さくし、往復動をスムーズにする。
グリップ７の表面には、凹凸を有するプラスチック製などの滑り止め２１の層が設けられる。
【００１１】
（第２グリップ）
図２に示すように、握り手５は握り手５の軸周りに回動する筒状の第２グリップ２３を有する。この第２グリップ２３の内周面には、周方向に沿って第２突条２５が形成される。この第２突条２５は、長手方向に複数が形成され、握り手５の表面と接して摩擦を小さくし、往復動をスムーズにする。
【００１２】
第２グリップ２３の回動をとめる第２ストッパー２７は、図３に示すように、握り手５に設けられた爪２９が第２グリップ２３の係止穴３１に係止する構造を有する。すなわち、握り手５の表面に、第２グリップ２３の長手方向に向かってスライドする爪２９が設けられる。この爪２９は、Ｌ字形状を有する。Ｌ字の一辺３３が、逆Ｔ字断面を有して、握り手５のコの字断面を有するスライド溝３５に嵌合し抜け止めが図られる。また、スライド溝３５の長手方向にはスライド可能となる。Ｌ字の他辺３７の先端は、スライド溝３５から突出して、作業者が指で操作できる。
【００１３】
第２グリップ２３の端部には、係止穴３１が設けられ、第２グリップ２３の表面に印された矢印３９が、表面からは見えない係止穴３１を示す。
このようなる第２ストッパー２７により、作業者が第２グリップ２３を回動させ、矢印３９を目印にして係止穴３１を爪２９の位置に一致させ、指で、爪２９のＬ字の他辺３７先端を押し、爪２９をスライドさせると、爪２９のＬ字の一辺３３先端が第２グリップ２３の係止穴３１に入り係止する。よって、第２グリップ２３の回動をとめる。
グリップ７の表面には、凹凸を有するプラスチック製などの滑り止めの層４１が設けられる。
【００１４】
「実施形態の効果」
この実施形態によれば、雪などの対象物を掬って放り出す作業を長時間行う場合に、両腕全体などの負担を小さくできる。
すなわち、掬って放り出す一つの動作サイクルは、例えば作業者が右利きの場合には対象物に対して体の左側を向け斜めに構えて立ち、左手で柄３のブリップを持ち、右手で握り手５の第２グリップ２３を持ち、そして（１）スコップを押し出し掬い部１で雪を掬い、（２）雪を持ち上げ（３）体の方向を変えて（４）雪を別の場所に放り出す、というのが通常のサイクルである。
【００１５】
このとき、特に（１）（４）では、通常のスコップのようにグリップ７がないときには、スコップの長手方向の動きに対して、作業者は自分の両腕を大きく動かして対応することになり、柄３を介して両腕相互間にかかる力が大きく変化する。これにより両腕の負担が大きくなる。しかし、この実施形態のように、左手でグリップ７を持つことで、力の変化に応じてグリップ７が柄３の長手方向を往復動し、よって両腕をそれほど大きく動かさなくてもよく、よって、両腕にかかる力を小さくできる。このため、両腕全体の負担を小さくできる。ひいては、腰の負担を軽くすることができる。
【００１６】
また、（１）から（４）の作業中に柄３や掬い部１がグリップ７に対して回動しようとするのを、握り手５を持つ右手でとめることになるが、この実施形態によれば、回り止め機構９によりグリップ７に対して柄３や掬い部１は回動しないので、掬い部１の姿勢をコントロールすることが容易である。
【００１７】
さらに、第２グリップ２３を左手で持つことで、特に（１）（４）では、スコップの長手方向の動きに対して、左手首の姿勢をそれほど変えなくても対応でき、手首の負担を軽くすることができ、ひいては腕の負担を軽くできる。
【００１８】
「実際の試験結果」
この発明の効果を示すために、複数の人に実際に試験的に使用してもらい、その結果をアンケートした。使用したスコップには、グリップ７の回り止め機構９はなかったが、それでも十分な効果がることが確認できた。すなわち、図５（Ａ）から（Ｄ）に示すように、性別や年齢別にかかわらず、ほとんどの人が効果を認めた。
【００１９】
「他の実施形態」
以上の実施形態では、掬い部１が四角な角スコップであったが、他の実施形態では、掬い部１の先が尖った剣先スコップ、掬い部１が大きな雪掻きスコップなどでも本発明が実施できる。
【００２０】
以上の実施形態では、グリップ７の回り止め機構９は、溝１１に係止する突起１３としてネジ１５を有するものであったが、他の実施形態では溝１１に、長い突条１９が係止するものでも良い。
【図面の簡単な説明】
【００２１】
【図１】この発明の一実施形態を示すもので（Ａ）はスコップの全体図、（Ｂ）はブリップの斜視図、（Ｃ）は（Ａ）のブリップのＣ−Ｃ断面図である。
【図２】この発明の一実施形態を示すもので、（Ａ）は図１（Ａ）スコップの握り手の拡大図、（Ｂ）は（Ａ）の平面図、（Ｃ）は（Ａ）の動作を示す図、（Ｄ）は（Ａ）のＤ−Ｄ断面図、（Ｅ）は（Ａ）の第２グリップの斜視図である。
【図３】（Ａ）は図２（Ａ）の第２ストッパーの部分縦断面図、（Ｂ）は（Ａ）の横断面図である。
【図４】この発明が実施可能なスコップの一例を示す全体図である。
【図５】この発明の実際の試験結果を示す性別・年齢別のアンケートの表である。
【符号の説明】
【００２２】
１…部、３…柄、５…手、７…グリップ、９…機構、１１…溝、１３…突起、１５…ネジ、１７…第１ストッパー、１９…突条、２１…滑り止め、２３…第２グリップ、２５…第２突条、２７…第２ストッパー、２９…爪、３１…係止穴、３３…一辺、３５…スライド溝、３７…他辺、３９…矢印、４１…滑り止めの層。
【図１】
2006342493.tif 000003
【図２】
2006342493.tif 000004
【図３】
2006342493.tif 000005
【図４】
2006342493.tif 000006
【図５】
2006342493.tif 000007